(57)【特許請求の範囲】
【請求項１】
第１及び第２の表示領域を含む画像表示部と、
車両内部の状態を車両情報として取得する車両情報取得部と、
前記第１の表示領域、又は、前記第２の表示領域の少なくともいずれかに、前記車両情報に対応する画像を表示する際の態様を、予め定めた分類に応じて、決定する制御部と、
を備え、
前記車両情報は、運転者に対する第１の警告情報を含み、
前記制御部は、前記第１の警告情報に対応する画像を予め定めた期間、前記第１の表示領域に表示すると共に、前記第１の警告情報に対応する画像を前記第２の表示領域に表示することを特徴とする車両用表示装置。
【請求項２】
前記車両情報は、運転中の運転者に対して常時、情報の提供が求められる常時提供情報に分類される情報を含み、
前記制御部は、前記常時提供情報に対応する画像を、前記第１の表示領域、又は、前記第２の表示領域の少なくともいずれかに表示し続ける請求項１の車両用表示装置。
【請求項３】
運転者による操作を受け付ける操作部を備え、
前記車両情報は、前記第１の警告情報よりも重要度が低い第２の警告情報を含み、
前記制御部は、前記第２の警告情報に対応する画像を前記第１の表示領域に表示すると共に、前記操作部が受け付けた第１の操作に応じて、前記第２の警告情報に対応する画像を前記第２の表示領域に表示する請求項１又は２の車両用表示装置。
【請求項４】
前記制御部は、前記第２の表示領域に前記第２の警告情報に対応する画像が表示されている際に、前記操作部が受け付けた第２の操作に応じて、前記第２の表示領域に表示されている前記第２の警告情報に対応する画像を変更する請求項３の車両用表示装置。
【請求項５】
第１及び第２の表示領域を含む画像表示部を備える車両用表示装置の制御方法であって、
車両内部の状態を車両情報として取得する工程と、
前記第１の表示領域、又は、前記第２の表示領域の少なくともいずれかに、前記車両情報に対応する画像を表示する際の態様を、予め定めた分類に応じて、決定する工程と、
を含み、
前記車両情報は、運転者に対する第１の警告情報を含み、
前記第１の警告情報に対応する画像を予め定めた期間、前記第１の表示領域に表示する工程と、
前記第１の警告情報に対応する画像を前記第２の表示領域に表示する工程と、
をさらに含むことを特徴とする車両用表示装置の制御方法。
【請求項６】
前記車両情報は、運転中の運転者に対して常時、情報の提供が求められる常時提供情報に分類される情報を含み、
前記常時提供情報に対応する画像を、前記第１の表示領域、又は、前記第２の表示領域の少なくともいずれかに表示し続ける工程を含む請求項５の車両用表示装置の制御方法。
【請求項７】
前記車両情報は、前記第１の警告情報よりも重要度が低い第２の警告情報を含み、
前記第２の警告情報に対応する画像を前記第１の表示領域に表示する工程と、
運転者による第１の操作に応じて、前記第２の警告情報に対応する画像を前記第２の表示領域に表示する工程と、
を含む請求項５又は６の車両用表示装置の制御方法。
【請求項８】
前記第２の表示領域に前記第２の警告情報に対応する画像が表示されている際に、運転者による第２の操作に応じて、前記第２の表示領域に表示されている前記第２の警告情報に対応する画像を変更する工程を含む請求項７の車両用表示装置の制御方法。
【請求項９】
第１及び第２の表示領域を含む画像表示部を備える車両用表示装置を制御するコンピュータに実行させるプログラムであって、
車両内部の状態を車両情報として取得する処理と、
前記第１の表示領域、又は、前記第２の表示領域の少なくともいずれかに、前記車両情報に対応する画像を表示する際の態様を、予め定めた分類に応じて、決定する処理と、
を実行し、
前記車両情報は、運転者に対する第１の警告情報を含み、
前記第１の警告情報に対応する画像を予め定めた期間、前記第１の表示領域に表示する処理と、
前記第１の警告情報に対応する画像を前記第２の表示領域に表示する処理と、
をさらに実行するプログラム。
【請求項１０】
前記車両情報は、運転中の運転者に対して常時、情報の提供が求められる常時提供情報に分類される情報を含み、
前記常時提供情報に対応する画像を、前記第１の表示領域、又は、前記第２の表示領域の少なくともいずれかに表示し続ける処理を実行する請求項９のプログラム。
【請求項１１】
前記車両情報は、前記第１の警告情報よりも重要度が低い第２の警告情報を含み、
前記第２の警告情報に対応する画像を前記第１の表示領域に表示する処理と、
運転者による第１の操作に応じて、前記第２の警告情報に対応する画像を前記第２の表示領域に表示する処理と、
を実行する請求項９又は１０のプログラム。
【請求項１２】
前記第２の表示領域に前記第２の警告情報に対応する画像が表示されている際に、運転者による第２の操作に応じて、前記第２の表示領域に表示されている前記第２の警告情報に対応する画像を変更する処理を実行する請求項１１のプログラム。
【発明の詳細な説明】
【技術分野】
【０００１】
本発明は、車両用表示装置、その制御方法及びプログラムに関する。特に、運転を支援する車両用表示装置、その制御方法及びプログラムに関する。
【背景技術】
【０００２】
近年、走行時の景色と共に運転に必要な情報を認識することができるヘッドアップディスプレイの開発が盛んに行われている。ヘッドアップディスプレイは、映像をウインドシールドに投影することで実現する。運転者は、投影された映像を、フロントガラス前方に位置する虚像として認識できる。ヘッドアップディスプレイを用いることで、運転者は前方から視線を逸らすことなく、運転に必要な情報を認識することができるため、安全な運転環境を提供できる。
【０００３】
ここで、特許文献１において、車速等の車両状態を取得し、取得した車両状態から運転者に警告すべき内容が含まれる場合に、表示内容を切り替える車両用表示装置が開示されている。特許文献１が開示する車両用表示装置は、表示内容を切り替えることで、ヘッドアップディスプレイの表示領域を効率的に使用することを目的としている。
【先行技術文献】
【特許文献】
【０００４】
【特許文献１】特開２００４−２５１８８１号公報
【発明の概要】
【発明が解決しようとする課題】
【０００５】
なお、上記先行技術文献の各開示を、本書に引用をもって繰り込むものとする。以下の分析は、本発明者らによってなされたものである。
【０００６】
運転者が車両から得る情報には、法的に定められた情報、車両の状態を示す情報、運転支援のための情報等が存在する。これらの情報は、コンビネーションメータやナビゲーション用のディスプレイに表示されることが多い。例えば、車速、残燃料量、各種の表示灯や警報灯、等はコンビネーションメータに示される。さらに、ナビゲーション用のディスプレイには、ナビゲーション情報（経路案内）に加えて、音楽を聴く際に必要な情報や、安全運転支援システム情報（白線検知、プリクラッシュ等）が表示される。
【０００７】
また、上述したように、ヘッドアップディスプレイを用いることで、運転者に安全な運転環境を提供することができる。そのため、ヘッドアップディスプレイがより一層普及し、車速や警報灯に関する情報、ナビゲーション情報等も、ヘッドアップディスプレイを用いて行われることが想定される。即ち、ヘッドアップディスプレイの普及に伴い、現在のコンビネーションメータやナビゲーション用のディスプレイがヘッドアップディスプレイに統合されていくことが予想される。その際、ヘッドアップディスプレイの限られた表示領域を効率的に利用し、運転者に対し、的確に情報を伝える必要がある。
【０００８】
そのための手段の１つとして、特許文献１が開示する車両用表示装置が考えられる。しかし、特許文献１が開示する車両用表示装置が提供する情報は、車両の一部の情報に限られ、その情報の伝達方法も、文字やＬＥＤ等を点滅するに留まっている。従って、このような表示（ＬＥＤ等の点滅）に接した運転者は、何が起きているのか、又は、車両がどのような情報を伝えようとしているのか、を直感的に把握することができない。以上のことから、必要な情報を運転者に確実に伝達する車両用表示装置、その制御方法及びプログラムが、望まれる。
【課題を解決するための手段】
【０００９】
本発明の第１の視点によれば、第１及び第２の表示領域を含む画像表示部と、車両内部の状態を車両情報として取得する車両情報取得部と、前記第１の表示領域、又は、前記第２の表示領域の少なくともいずれかに、前記車両情報に対応する画像を表示する際の態様を、予め定めた分類に応じて、決定する制御部と、を備え、前記車両情報は、運転者に対する第１の警告情報を含み、前記制御部は、前記第１の警告情報に対応する画像を予め定めた期間、前記第１の表示領域に表示すると共に、前記第１の警告情報に対応する画像を前記第２の表示領域に表示する車両用表示装置が提供される。
【００１０】
本発明の第２の視点によれば、第１及び第２の表示領域を含む画像表示部を備える車両用表示装置の制御方法であって、車両内部の状態を車両情報として取得する工程と、前記第１の表示領域、又は、前記第２の表示領域の少なくともいずれかに、前記車両情報に対応する画像を表示する際の態様を、予め定めた分類に応じて、決定する工程と、を含み、前記車両情報は、運転者に対する第１の警告情報を含み、前記第１の警告情報に対応する画像を予め定めた期間、前記第１の表示領域に表示する工程と、前記第１の警告情報に対応する画像を前記第２の表示領域に表示する工程と、をさらに含む車両用表示装置の制御方法が提供される。
【００１１】
本発明の第３の視点によれば、第１及び第２の表示領域を含む画像表示部を備える車両用表示装置を制御するコンピュータに実行させるプログラムであって、車両内部の状態を車両情報として取得する処理と、前記第１の表示領域、又は、前記第２の表示領域の少なくともいずれかに、前記車両情報に対応する画像を表示する際の態様を、予め定めた分類に応じて、決定する処理と、を実行し、前記車両情報は、運転者に対する第１の警告情報を含み、前記第１の警告情報に対応する画像を予め定めた期間、前記第１の表示領域に表示する処理と、前記第１の警告情報に対応する画像を前記第２の表示領域に表示する処理と、をさらに実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１２】
本発明の各視点によれば、必要な情報を運転者に確実に伝達する車両用表示装置、その制御方法及びプログラムが、提供される。
【図面の簡単な説明】
【００１３】
【図１】一実施形態の概要を説明するための図である。
【図２】第１の実施形態に係る車両用表示装置１を含む車両２の一構成例を示す図である。
【図３】車両２の運転席から前方を視認した際の一例を示す図である。
【図４】車両用表示装置１の内部構成の一例を示す図である。
【図５】車両用表示装置１の動作の一例を示すフローチャートである。
【図６】ヘッドアップディスプレイの表示内容の一例を示す図である。
【図７】ヘッドアップディスプレイの表示内容の一例を示す図である。
【図８】ヘッドアップディスプレイの表示内容の一例を示す図である。
【図９】ヘッドアップディスプレイの表示内容の一例を示す図である。
【図１０】ヘッドアップディスプレイの表示内容の一例を示す図である。
【図１１】ヘッドアップディスプレイの表示内容の一例を示す図である。
【図１２】ヘッドアップディスプレイの表示内容の一例を示す図である。
【図１３】第２の実施形態に係る車両用表示装置１ａの内部構成の一例を示す図である。
【発明を実施するための形態】
【００１４】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１５】
上述のように、運転者に確実に伝達する必要がある情報が存在する。このような情報を伝達する際に、文字やＬＥＤ等を点滅するだけでは、運転者は、車両がどのような情報を伝えようとしているのか直感的に把握することができない。そのため、必要な情報を運転者に確実に伝達する車両用表示装置が、望まれる。
【００１６】
そこで、一例として図１に示す車両用表示装置１００を提供する。車両用表示装置１００は、第１及び第２の表示領域を含む画像表示部１０１と、車両内部の状態を車両情報として取得する車両情報取得部１０２と、第１の表示領域、又は、第２の表示領域の少なくともいずれかに、車両情報に対応する画像を表示する際の態様を、予め定めた分類に応じて、決定する制御部１０３と、を備える。
【００１７】
運転者に伝達すべき情報は多種多様であって、これらが全て同じ緊急度や重要度を持っているわけではない。そこで、これらの情報を分類し、分類した情報ごとにどのような態様で画像表示部１０１に画像を表示するか決定する。例えば、最も緊急度及び重要度が高い情報は、運転者が容易に視認できる箇所に直接表示する。一方、緊急度及び重要度が若干低い情報に関しては、運転者の意思に基づいて、その内容を確認できる態様で表示する。その際、第１の表示領域は、運転者の視野とは相当程度、距離がある領域とし、第２の表示領域は、運転者の視野に近い領域とすることが望ましい。第１の表示領域と第２の表示領域とでは、運転者に対する情報伝達力、ないし、注意喚起力が異なり、これらの表示領域に各種情報を表示する際の態様を、取得した車両情報の緊急度及び重要度に応じて、適宜変更する。即ち、車両用表示装置１００は、運転者に提供する情報の緊急度及び重要度に応じた表示態様を選択することで、必要な情報を運転者に確実に伝達できる。
【００１８】
さらに、下記の形態が可能である。
【００１９】
［形態１］上記第１の視点に係る車両用表示装置のとおりである。
【００２０】
［形態２］前記車両情報は、運転中の運転者に対して常時、情報の提供が求められる常時提供情報に分類される情報を含み、前記制御部は、前記常時提供情報に対応する画像を、前記第１の表示領域、又は、前記第２の表示領域の少なくともいずれかに表示し続けることが好ましい。
【００２１】
［形態３］前記車両情報は、運転者に対する第１の警告情報を含み、前記制御部は、前記第１の警告情報に対応する画像を予め定めた期間、前記第１の表示領域に表示すると共に、前記第１の警告情報に対応する画像を前記第２の表示領域に表示することが好ましい。
【００２２】
［形態４］前記車両用表示装置は、運転者による操作を受け付ける操作部を備え、前記車両情報は、前記第１の警告情報よりも重要度が低い第２の警告情報を含み、前記制御部は、前記第２の警告情報に対応する画像を前記第１の表示領域に表示すると共に、前記操作部が受け付けた第１の操作に応じて、前記第２の警告情報に対応する画像を前記第２の表示領域に表示することが好ましい。
【００２３】
［形態５］前記制御部は、前記第２の表示領域に前記第２の警告情報に対応する画像が表示されている際に、前記操作部が受け付けた第２の操作に応じて、前記第２の表示領域に表示されている前記第２の警告情報に対応する画像を変更することが好ましい。
【００２４】
［形態６］前記車両用表示装置は、車両外部の周辺情報を取得する周辺情報取得部と、経路案内に関するナビゲーション情報を取得するナビゲーション情報取得部と、を備え、前記制御部は、前記第１の表示領域、又は、前記第２の表示領域の少なくともいずれかに、前記車両情報、前記周辺情報又は前記ナビゲーション情報、のいずれかに対応した画像を表示する際の態様を、予め定めた分類に応じて、決定することが好ましい。
【００２５】
［形態７］上記第２の視点に係る車両用表示装置の制御方法のとおりである。
【００２６】
［形態８］前記車両情報は、運転中の運転者に対して常時、情報の提供が求められる常時提供情報に分類される情報を含み、前記常時提供情報に対応する画像を、前記第１の表示領域、又は、前記第２の表示領域の少なくともいずれかに表示し続ける工程を含むことが好ましい。
【００２７】
［形態９］前記車両情報は、運転者に対する第１の警告情報を含み、前記第１の警告情報に対応する画像を予め定めた期間、前記第１の表示領域に表示する工程と、前記第１の警告情報に対応する画像を前記第２の表示領域に表示する工程と、を含むことが好ましい。
【００２８】
［形態１０］前記車両情報は、前記第１の警告情報よりも重要度が低い第２の警告情報を含み、前記第２の警告情報に対応する画像を前記第１の表示領域に表示する工程と、運転者による第１の操作に応じて、前記第２の警告情報に対応する画像を前記第２の表示領域に表示する工程と、を含むことが好ましい。
【００２９】
［形態１１］前記第２の表示領域に前記第２の警告情報に対応する画像が表示されている際に、運転者による第２の操作に応じて、前記第２の表示領域に表示されている前記第２の警告情報に対応する画像を変更する工程を含むことが好ましい。
【００３０】
［形態１２］上記第３の視点に係るプログラムのとおりである。
【００３１】
［形態１３］前記車両情報は、運転中の運転者に対して常時、情報の提供が求められる常時提供情報に分類される情報を含み、前記プログラムは、前記常時提供情報に対応する画像を、前記第１の表示領域、又は、前記第２の表示領域の少なくともいずれかに表示し続ける処理を実行することが好ましい。
【００３２】
［形態１４］前記車両情報は、運転者に対する第１の警告情報を含み、前記第１の警告情報に対応する画像を予め定めた期間、前記第１の表示領域に表示する処理と、前記第１の警告情報に対応する画像を前記第２の表示領域に表示する処理と、を実行することが好ましい。
【００３３】
［形態１５］前記車両情報は、前記第１の警告情報よりも重要度が低い第２の警告情報を含み、前記第２の警告情報に対応する画像を前記第１の表示領域に表示する処理と、運転者による第１の操作に応じて、前記第２の警告情報に対応する画像を前記第２の表示領域に表示する処理と、を実行することが好ましい。
【００３４】
［形態１６］前記プログラムは、前記第２の表示領域に前記第２の警告情報に対応する画像が表示されている際に、運転者による第２の操作に応じて、前記第２の表示領域に表示されている前記第２の警告情報に対応する画像を変更する処理を実行することが好ましい。
【００３５】
以下に具体的な実施の形態について、図面を参照してさらに詳しく説明する。
【００３６】
［第１の実施形態］
第１の実施形態について、図面を用いてより詳細に説明する。
【００３７】
図２は、本実施形態に係る車両用表示装置１を含む車両２の一構成例を示す図である。
【００３８】
図２に示す車両２は、ウインドシールド３を備えている。運転者は、ウインドシールド３を通して前方の景色を認識する。さらに、ウインドシールド３における車室内側の表面は、コンバイナ（反射部材）として機能する処理が施されている。このコンバイナに対して、車両２に含まれる車両用表示装置１から光を照射することにより、運転者は表示画像を視認できる。さらに、車両用表示装置１は、図２のＡ点付近の領域、及び、Ｂ点付近の領域、それぞれに対して画像を表示することができる。
【００３９】
図３は、車両２の運転席から前方を視認した際の一例を示す図である。車両２は、インスツルメントパネル４とステアリング５を備えている。さらに、ステアリング５には操作部２０が備え付けられている。操作部２０は車両用表示装置１（図３において図示せず）の一部である。また、図３において、上述のＡ点付近の領域を第１の表示領域６０、Ｂ点付近の領域を第２の表示領域６１、として示している。第１の表示領域６０は、ウインドシールド３の下方に配置される領域、第２の表示領域６１は、運転者の視野の近傍（あるいは、視野に重畳）に配置される領域とする。
【００４０】
図４は、車両用表示装置１の内部構成の一例を示す図である。
【００４１】
車両用表示装置１は、車両情報取得部１０と、操作部２０と、第１の画像出力部３０と、第２の画像出力部４０と、制御部５０と、を含んでいる。なお、図４には、簡単のため、本実施形態に係る車両用表示装置１に関係するモジュールのみを記載する。
【００４２】
車両情報取得部１０は、車両の各部（例えば、エンジン、ブレーキシステム、バッテリ等）が出力する信号を受け付ける。車両情報取得部１０は、例えば、車速センサにより車速が把握可能であり、ブレーキシステムが出力する信号によりブレーキシステムの状態を把握できる。車両情報取得部１０は、これらの情報を車両情報（車速等の情報、ブレーキシステム等の状態）として制御部５０に出力する。つまり、車両情報取得部１０は、車両２の内部状態を各種センサにより取得し、車両２の内部状態を車両情報として制御部５０に出力する。
【００４３】
操作部２０は、ステアリング５に備え付けられ、車両用表示装置１に対する運転者の操作を受け付ける。操作部２０には、タッチパッドや、メカニカルなスイッチが考えられる。本実施形態に係る車両用表示装置１は、操作部２０としてタッチパッドを備えることとし、説明を行うが、操作部２０をタッチパッドに限定する趣旨ではない。
【００４４】
第１の画像出力部３０は、上述した第１の表示領域６０に光を照射して、運転者に画像を提供する。同様に、第２の画像出力部４０は、第２の表示領域６１に光を照射して、運転者に画像を提供する。なお、第１の表示領域６０は、運転者の視野とは相当程度、距離がある領域とし、第２の表示領域６１は、運転者の視野に近い領域とする。さらに、第１の画像出力部３０、第２の画像出力部４０、及び、表示領域（第１の表示領域６０及び第２の表示領域６１）を形成するウインドシールド３が、上述の画像表示部１０１に相当する。
【００４５】
制御部５０は、車両用表示装置１の全体を制御すると共に、車両情報取得部１０及び操作部２０から得た情報に基づいて、第１の画像出力部３０及び第２の画像出力部４０が出力すべき画像情報を含む信号を出力する。即ち、第１の画像出力部３０及び第２の画像出力部４０は、制御部５０が出力する画像信号に基づき、表示内容及び表示態様を変更する。
【００４６】
ここで、車両２における表示内容について説明を行う。上述のように、車両２が運転者に提供する情報は多岐にわたる。これらの情報は、以下のように分類することができる。
【００４７】
第１の情報は、法的に運転者への情報提供が義務付けられている情報である。この種の情報には、車速や、方向指示（所謂、ウィンカーに関する情報）や、一部の警報等が含まれる。なお、このような法的に運転者への情報提供が求められる情報を、常時提供情報と定める。
【００４８】
第２の情報は、表示内容の性質上、直ちに運転者に伝達すべき重要な情報である。例えば、ブレーキシステムに異常が認められる場合には、その内容を直ちに運転者に伝え、直ぐに停車するなど適切な処置を運転者に促すことが必要になる。このような情報を、第１の警告情報と定める。
【００４９】
第３の情報は、第１の警告情報ほど緊急度及び重要度は高くはないが、速やかに運転者に伝えるべき情報である。例えば、燃料の補給が必要になった場合や、シートベルトの着用を促す表示があてはまる。このような情報を、第２の警告情報と定める。
【００５０】
第４の情報は、上述の第１の警告情報及び第２の警告情報にあてはまらないが、その性質上、運転者への伝達が望まれる情報である。このような情報を、第３の警告情報と定める。
【００５１】
車両用表示装置１は動作に先立ち、車両情報取得部１０から得られる情報を、その内容に応じて、予め分類する。より具体的には、車両情報取得部１０が取得する情報とその分類情報を記憶部（図示せず）に記憶し、制御部５０が、記憶部の記憶内容を参照しつつ、表示態様を決定する。例えば、車速は常時提供情報であるため、第１の表示領域６０の一部に常に表示する。一方、車両情報取得部１０が、万が一、ブレーキシステムの異常（第１の警告情報）に相当する情報を得た場合には、アイコンやメッセージを予め定めた態様で表示する（後述する第１の表示態様）。
【００５２】
次に、車両用表示装置１の動作について説明する。
【００５３】
図５は、車両用表示装置１の動作の一例を示すフローチャートである。
【００５４】
ステップＳ０１において、車両情報取得部１０が、車両２の内部状態を取得し、車両情報として制御部５０に出力する。
【００５５】
ステップＳ０２において、制御部５０が、前ステップで取得した車両情報から、常時提供情報の更新を行う。
【００５６】
図６は、ヘッドアップディスプレイの表示内容の一例を示す図である。図６において、常時提供情報は、第１の表示領域６０であって、予め定められた領域に表示する。図６では、車速と方向指示（ウインカー）に関する情報が、第１の表示領域６０に表示されている。本ステップでは、制御部５０は、第１の画像出力部３０に対して、第１の表示領域６０の常時提供情報に相当する表示の更新を行う画像信号を出力する。なお、常時提供情報の種類に対して、第１の表示領域６０における領域が十分確保できない場合には、複数の警報を１つのアイコンに代表させて表示してもよい。
【００５７】
ステップＳ０３において、制御部５０は、取得した車両情報に第１の警告情報が含まれているか否かを判断する。第１の警告情報が含まれている場合（ステップＳ０３、Ｙｅｓ分岐）には、第１の表示態様により、運転者に対し情報を提供する（ステップＳ０４）。第１の警告情報は、緊急度及び重要度が極めて高い情報であるため、予め定めたアイコンを第２の表示領域６１に直接、表示する。
【００５８】
図７は、ヘッドアップディスプレイの表示内容の一例を示す図である。なお、図７及び図８では、第１の警告情報として、ブレーキシステムに異常が検出された場合の警告を行うものとする。第１の表示態様では、図７に示すように、アイコン７０を第２の表示領域６１に表示する。ここで、第２の表示領域６１は、運転者の視野に極めて近く（あるいは、視野に重なって）に配置される領域であるため、第２の表示領域６１に表示されたアイコン７０は直ちに運転者に認識される。若しくは、アイコン７０の近傍に「ブレーキシステムの異常」や、「直ぐに停車して下さい」といったメッセージを表示することも可能である。その結果、運転者は、アイコン７０の内容と、対処すべき行動を把握することができる。
【００５９】
図８は、ヘッドアップディスプレイの表示内容の一例を示す図である。第１の表示態様の他の一例としては、第１の表示領域６０にアイコン７１を予め定めた期間表示、又は、点滅表示させ、その後、図７に示す表示に遷移させてもよい。この場合には、アイコン７０の突然の表示に運転者が違和感を覚えることはない。
【００６０】
以上のように、第１の警告情報を検出した場合には、第１の表示態様を採用することで、緊急度及び重要度の高い情報を運転者に対して確実に伝達することができる。ステップＳ０４が終了した後は、ステップＳ０１に戻り処理を継続する。
【００６１】
ステップＳ０５において、制御部５０は、取得した車両情報に第２の警告情報が含まれているか否かを判断する。第２の警告情報が含まれている場合（ステップＳ０５、Ｙｅｓ分岐）には、第２の表示態様により、運転者に対し情報を提供する（ステップＳ０６）。
【００６２】
上述した第１の表示態様では、運転者の操作を介さず、第２の表示領域６１にアイコン７０を表示させている。これは、第１の警告情報の性質上、致し方ないものであるとはいえ、運転者の意思に基づかず、自らの視野に近い場所にアイコンが表示されるので、このような表示を疎ましく感じる可能性がある。そこで、第２の警告情報の表示を行う第２の表示態様では、運転者に対して２段階の情報提供を行う。
【００６３】
図９は、ヘッドアップディスプレイの表示内容の一例を示す図である。図９及び図１０では、第２の警告情報として、燃料が不足した場合の警告を行うものとする。第２の警告情報を取得した制御部５０は、初めに、第１の表示領域６０にアイコン７２を表示する。その際、制御部５０は、アイコン７２を点滅させて表示するなどして、運転者の注意を引くことが望ましい。図９の表示に接した運転者は、予め定められた（車両の取扱説明書に記載された）操作を、操作部２０に対して行う。この際の操作には、タッチパッド上で指を上方向（第１の表示領域６０から第２の表示領域６１に向かう方向）にスライドさせる等が想定できる。
【００６４】
図１０は、ヘッドアップディスプレイの表示内容の一例を示す図である。操作部２０を介して運転者の操作を検出した制御部５０は、第２の表示領域６１にアイコン７３を表示する。この場合、第１の表示領域６０のアイコン７２を消去してもよいし、そのまま表示を継続してもよい（図１０では、アイコン７２は消去している）。また、第２の表示領域６１に表示するアイコン７３は、より直感的に内容が把握できるデザインに変更してもよい。つまり、第１の表示領域６０に表示するアイコン７２は簡易的なものに留め、第２の表示領域６１に表示するアイコン７３は、万人にとって分かり易いデザインとすることもできる。さらに、第１の表示態様と同様に、「燃料が不足しています」や「燃料を補給して下さい」といったメッセージを第２の表示領域６１に表示することも可能である。
【００６５】
以上のように、第２の表示態様では、運転者の意思に基づいて、アイコンの表示位置を第１の表示領域６０から第２の表示領域６１に切り替える。運転者は、自らの意思で第２の表示領域６１にアイコン７３を表示させているので、このような表示を疎ましく感じることがない。ステップＳ０６が終了した後は、ステップＳ０１に戻り処理を継続する。
【００６６】
ステップＳ０７において、制御部５０は、取得した車両情報に第３の警告情報が含まれているか否かを判断する。第３の警告情報が含まれている場合には、第３の表示態様により、運転者に対し情報を提供する（ステップＳ０８）。第３の警告情報は、運転者への伝達が望まれる情報ではあるが、第１の警告情報及び第２の警告情報と比較すれば、緊急度及び重要度は高くない。そこで、第３の表示態様では、第３の警告情報に相当するアイコン等を第１の表示領域６０に常時点灯させる、又は、点滅して表示するというといった態様に留める。
【００６７】
なお、上述の第１及び第２の表示態様において、アイコン７１又は７３を第２の表示領域６１に表示する際に、運転者の視野に対する特段の考慮をしていない。第２の表示領域６１そのものが、運転者の視野に近接する表示領域であるため、第２の表示領域６１にアイコン等を表示すれば、運転者は確実のその表示を認識できるためである。しかし、運転者の視野を考慮することで、より一層、認識度を高めることができる。つまり、運転者の視野を考慮してアイコン７３等の表示位置を決定する。
【００６８】
図１１は、ヘッドアップディスプレイの表示内容の一例を示す図である。図１１に示すように、運転者の視野を予め想定しておき、視野に近接する位置にアイコン７３等を表示する。あるいは、運転者の視線を検出し、視線とウインドシールド３の交点の近傍にアイコン７３等を表示してもよい。このような対応により、より一層、運転者は重要な情報を確実に認識することができる。
【００６９】
さらに、ヘッドアップディスプレイの表示と操作部２０との関係には種々の対応を取ることができる。例えば、第２の表示領域６１に表示されたアイコン７３を認識した後は、運転者がタッチパッド上の指を下方向（第２の表示領域６１から第１の表示領域６０に向かう方向）にスライドさせた場合に、アイコン７３を消去する、又は、第１の表示領域６１に移動することができる。その結果、運転者は、より広い視界を確保することができる。
【００７０】
［変形例］
本実施形態に係る車両用表示装置１では、ヘッドアップディスプレイに第１の表示領域６０及び第２の表示領域６１を設ける場合について説明した。しかし、運転者に対して情報の提供を行う表示装置は、ヘッドアップディスプレイに限定されるものではない。例えば、コンビネーションメータを第１の表示領域６０と、ナビゲーション用のディスプレイを第２の表示領域６１と見立てて、同様の動作を行うこともできる。その際には、操作部２０で検出する操作に応じて、表示装置を切り替えることができる。より具体的には、コンビネーションメータの一部が点滅している際に、操作部２０を操作することにより、より詳細な情報をナビゲーション用のディスプレイに表示させることができる。
【００７１】
あるいは、第１の表示領域６０をコンビネーションメータ（若しくは、その一部）とし、第２の表示領域６１は、ヘッドアップディスプレイで実現することもできる。さらに、第１の表示領域６０と第２の表示領域６１を統合することもできる。図１２は、ヘッドアップディスプレイの表示内容の一例を示す図である。図１２に示すように、第２の表示領域６１の一部を第１の表示領域６０として使用してもよい。
【００７２】
なお、車両用表示装置１の各機能は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置に格納し、そのプログラムを主記憶部にロードしてＣＰＵ（Ｃｅｎｔｒａｌ  Ｐｒｏｃｅｓｓｉｎｇ  Ｕｎｉｔ）で実行することにより、ソフトウェア的に実現することも可能である。
【００７３】
以上のように、本実施形態に係る車両用表示装置１は、運転者に提供すべき情報を、その性質に応じて分類する。さらに、分類した情報ごとに、内容の表示態様を切り替える。その際、運転者に対する情報伝達力、ないし、注意喚起力が異なる第１の表示領域６０と第２の表示領域６１に画像を表示し、取得した車両情報の緊急度及び重要度に応じて、表示態様を適宜変更する。即ち、運転中に常時表示すべき情報は、常時提供情報に分類し、第１の表示領域６０に表示する。また、緊急度及び重要度の高い情報は、運転者が確実に認識できる態様で表示する。さらに、多少、緊急度及び重要度の低い情報は、運転者の意思に基づいて、第１の表示領域６０から第２の表示領域６１に表示位置を変更する。以上のように、情報伝達力（注意喚起力）の異なる表示領域を適宜使い分けることで、運転者に対し、必要な情報を確実に伝達することができる。同時に、ヘッドアップディスプレイの限られた表示領域を効率的に利用することができる。
【００７４】
［第２の実施形態］
続いて、第２の実施形態について図面を参照して詳細に説明する。
【００７５】
図１３は、本実施形態に係る車両用表示装置１ａの内部構成の一例を示す図である。図１３において図４と同一構成要素には、同一の符号を付し、その説明を省略する。車両用表示装置１と車両用表示装置１ａの相違点は、周辺情報取得部８０とナビゲーション情報取得部９０を備える点である。
【００７６】
周辺情報取得部８０は、車両２の外部に向けられたカメラや、外部の状況を取得するためのセンサ等が出力する信号を受け付ける。周辺情報取得部８０は、受け付けた情報を、周辺情報として制御部５０ａに出力する。制御部５０ａは、周辺情報取得部８０が出力する周辺情報から、外部に存在する車両や人間等の障害物を検出する。
【００７７】
ナビゲーション情報取得部９０は、地図又は走行経路に関する情報を、ナビゲーション情報として制御部５０ａに出力する。
【００７８】
制御部５０ａは、車両情報取得部１０から得られる車両情報だけでなく、周辺情報取得部８０から得られる周辺情報及びナビゲーション情報取得部９０から得られるナビゲーション情報も上述した分類分けの対象とし、これらの各部から得られる情報に基づき、アイコン等の表示態様を決定する。その結果、運転者は、より充実した情報を得ることができ、安全かつ快適な運転環境が提供される。
【００７９】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８０】
１、１ａ、１００  車両用表示装置
２  車両
３  ウインドシールド
４  インスツルメントパネル
５  ステアリング
１０、１０２  車両情報取得部
２０  操作部
３０  第１の画像出力部
４０  第２の画像出力部
５０、５０ａ、１０３  制御部
６０  第１の表示領域
６１  第２の表示領域
７０〜７３  アイコン
８０  周辺情報取得部
９０  ナビゲーション情報取得部
１０１  画像表示部
【図１】
0005530472.tif 000002
【図２】
0005530472.tif 000003
【図３】
0005530472.tif 000004
【図４】
0005530472.tif 000005
【図５】
0005530472.tif 000006
【図６】
0005530472.tif 000007
【図７】
0005530472.tif 000008
【図８】
0005530472.tif 000009
【図９】
0005530472.tif 000010
【図１０】
0005530472.tif 000011
【図１１】
0005530472.tif 000012
【図１２】
0005530472.tif 000013
【図１３】
0005530472.tif 000014